(57)【要約】      （修正有）【課題】イヤホーンを備えている小型の機器を安定した状態で肩掛けベルトに保持することにより、機器を容易に携帯できるようにすると共に、イヤホーンが不意に耳から脱落してしまうような事態の発生も防止した機器用のホルダーを提供する。【解決手段】肩掛けベルトＢに装着して、イヤホーン２を備えている小型の機器を肩掛けベルトＢに保持する機器用のホルダー１であり、ホルダー本体４に、機器を収容するポケット部５と、肩掛けベルトＢを通すベルト挿通部を設けている。また、ホルダー本体４は、先端部をズボンやスカート等の衣服に取り付ける補助ベルト１１を備えている。さらに、機器用のホルダー１は、肩掛けベルトＢに装着して機器のイヤホーンコード２ａを保持するコード用ホルダー１５を備え、このコード用ホルダー１５には、肩掛けベルトＢを通すベルト挿通部６と、イヤホーンコードの保持部を設けている。【選択図】図１
0003145674.tif 000002
【実用新案登録請求の範囲】
【請求項１】
肩掛けベルトに装着して、イヤホーンを備えている小型の機器を肩掛けベルトに保持する機器用のホルダーであり、ホルダー本体に、機器を収容するポケット部と、肩掛けベルトを通すベルト挿通部を設けていることを特徴とする機器用のホルダー。
【請求項２】
ホルダー本体は、先端部をズボンやスカート等の衣服に取り付ける補助ベルトを備えている請求項１に記載の機器用のホルダー。
【請求項３】
機器用のホルダーは、肩掛けベルトに装着して機器のイヤホーンコードを保持するコード用ホルダーを備え、このコード用ホルダーには、肩掛けベルトを通すベルト挿通部と、イヤホーンコードの保持部を設けている請求項１または２に記載の機器用のホルダー。
【考案の詳細な説明】
【技術分野】
【０００１】
本考案は、イヤホーンを備えている小型の機器を安定した状態で肩掛けベルトに保持するための、機器用のホルダーに関するものである。
【背景技術】
【０００２】
近年において、デジタル方式の音楽ファイルを再生する、デジタルオーディオプレーヤーが広く普及してきている。
【０００３】
また、デジタル方式の音楽ファイルを再生する事に加えて、種々の映像を音声と共に表示したり、携帯電話としての機能も備えている機器も出現している。
【０００４】
そして、これらの小型の機器を所持するときには、背広の内ポケットや、ワイシャツ・ポロシャツ等の胸ポケットに機器を入れ、機器に接続しているイヤホーンを介して音楽や音声を聴くことが多かった。
【特許文献１】特になし
【考案の開示】
【考案が解決しようとする課題】
【０００５】
しかしながら、衣服によっては、内ポケットや胸ポケット等が存在しないものもあり、このような内ポケットや胸ポケット等が存在しない衣服を身に着けているときは、機器を手で持つしかなく、非常に煩わしい事態となっていた。
【０００６】
また、所定のカバンを所持し、このカバンの中に機器を入れることもあるが、機器のためだけにカバンを所持するのも非常に面倒である。
【０００７】
さらに、カバンの中に機器を入れ、機器に接続しているイヤホーンを介して音楽や音声を聴くとき、イヤホーンのコードが長くなり易いことから、イヤホーンが不意に耳から脱落してしまう弊害も生じていた。
【０００８】
この他、散歩をしている最中や、ランニングマシンを使用した運動中等にも、イヤホーンを介して音楽を聴くことがあるが、小型の機器を安定した状態で所持できない事態が生じていた。
【０００９】
そこで、本考案は如上のような従来存した諸事情に鑑み創案されたもので、イヤホーンを備えている小型の機器を安定した状態で肩掛けベルトに保持することにより、機器を容易に携帯できるようにすると共に、イヤホーンが不意に耳から脱落してしまうような事態の発生も防止した機器用のホルダーを提供することを目的とする。
【課題を解決するための手段】
【００１０】
本考案は、肩掛けベルトに装着して、イヤホーンを備えている小型の機器を肩掛けベルトに保持する機器用のホルダーであり、ホルダー本体に、機器を収容するポケット部と、肩掛けベルトを通すベルト挿通部を設けていること、上述した課題を解決した。
【００１１】
また、ホルダー本体は、先端部をズボンやスカート等の衣服に取り付ける補助ベルトを備えていることで、同じく上述した課題を解決した。
【００１２】
さらに、機器用のホルダーは、肩掛けベルトに装着して機器のイヤホーンコードを保持するコード用ホルダーを備え、このコード用ホルダーには、肩掛けベルトを通すベルト挿通部と、イヤホーンコードの保持部を設けていることで、同じく上述した課題を解決した。
【考案の効果】
【００１３】
本考案は、肩掛けベルトに装着して、イヤホーンを備えている小型の機器を肩掛けベルトに保持する機器用のホルダーであり、ホルダー本体に、機器を収容するポケット部を設けているため、このポケット部に、小型の機器を簡単に収容できる。
【００１４】
また、ホルダー本体には、肩掛けベルトを通すベルト挿通部を設けていることから、ホルダー本体のベルト挿通部に肩掛けベルトを通すことにより、小型の機器を収容しているホルダー本体を肩掛けベルトにしっかりと装着することができる。
【００１５】
その結果、イヤホーンを備えている小型の機器を安定した状態で肩掛けベルトに保持することにより、機器を容易に携帯できるのである。
【００１６】
また、ホルダー本体は、先端部をズボンやスカート等の衣服に取り付ける補助ベルトを備えていることから、ホルダー本体が不意に外れてしまうような事態の発生を防止し、イヤホーンを備えている小型の機器を、より安定した状態で肩掛けベルトに保持することができる。
【００１７】
さらに、機器用のホルダーは、肩掛けベルトに装着して機器のイヤホーンコードを保持するコード用ホルダーを備え、このコード用ホルダーには、肩掛けベルトを通すベルト挿通部を設けていることから、コード用ホルダーのベルト挿通部に肩掛けベルトを通すことにより、コード用ホルダーを肩掛けベルトにしっかりと装着することができる。
【００１８】
また、コード用ホルダーには、イヤホーンコードの保持部を設けていることから、この保持部にイヤホーンコードをしっかりと保持させて、イヤホーンが不意に耳から脱落してしまうような事態の発生も防止できる。
【００１９】
この他、本考案に係る機器用のホルダーにより、イヤホーンを備えている小型の機器を手で持ったり、カバンの中に入れる必要がなくなる。その為、散歩をしている最中や、ランニングマシンを使用した運動中等にも、イヤホーンを介して手軽に音楽を聴くことができるのである。
【考案を実施するための最良の形態】
【００２０】
以下に、本考案を実施するための最良の形態を、図面を参照して説明する。
【００２１】
本考案は、図１・図２に示すように、肩掛けベルトＢに装着して、イヤホーン２を備えている小型の機器３を肩掛けベルトＢに保持する機器用のホルダー１である。この機器用のホルダー１は、ホルダー本体４に、小型の機器３を収容するポケット部５と、肩掛けベルトＢを通すベルト挿通部６を設けている。
【００２２】
イヤホーン２を備えている小型の機器３は、例えば、デジタル方式の音楽ファイルを再生する、デジタルオーディオプレーヤーである。
【００２３】
尚、小型の機器３は、音楽や音声を発するものを広く含むもので、携帯電話等であっても良い。また、所定のメモリーカードを使用するものであっても良い。
【００２４】
肩掛けベルトＢは、例えば、図３に示すように、２本の肩掛けベルトＢを、連結用バックル７を介して略Ｘ状に交差させている。連結用バックル７は、略三角形の環状に形成され、図２に示すように、２本の肩掛けベルトＢを通して、肩掛けベルトＢを身に付けている者の背中側で交差させている。
【００２５】
個々の肩掛けベルトＢは、図３に示すように、両端部にフラップ式のホック８を備え、このホック７を開閉することにより、ズボンやスカート等の衣服９に簡単に取り付けることができるようにしている。また、肩掛けベルトＢは、長さ調整用バックル１０を備えている。
【００２６】
尚、肩掛けベルトＢは、２本の肩掛けベルトＢを交差させたものに限定されることはなく、例えば、２本の肩掛けベルトＢを並行に配置したものであっても良い。また、単独の肩掛けベルトＢであっても良い。
【００２７】
肩掛けベルトＢに装着する機器用のホルダー１は、図４に示すように、柔軟性を有する素材を用いて方形状に形成されたホルダー本体４の一側面に、小型の機器３を収容するポケット部５を設けている。このホルダー本体４の形状は、方形状に限定されることはなく、どのような形状であっても良い。
【００２８】
また、ホルダー本体４には、図４に示すように、ポケット部５の隣に、肩掛けベルトＢを通すベルト挿通部６を設けている。このベルト挿通部６は、所定の間隔を開けて配置された上下一対の切り込み６ａにより形成されている。
【００２９】
この上下一対の切り込み６ａの間隔は、ポケット部５の縦方向の長さに対応している。また、切り込み６ａは、挿通している肩掛けベルトＢに対して、ホルダー本体４を任意の位置で固定できるように形成されている。  
【００３０】
また、ホルダー本体４は、図３に示すように、先端部をズボンやスカート等の衣服９に取り付ける補助ベルト１１を備えている。この補助ベルト１１は、先端部にフラップ式のホック１２を備え、このホック１２を開閉することにより、ズボンやスカート等の衣服９に簡単に取り付けることができるようにしている。また、肩掛けベルトＢは、長さ調整用バックル１３を備えている。
【００３１】
この補助ベルト１１は、図３に示すように、ホルダー本体４におけるポケット部５の下方に取り付けられている。具体的には、ホルダー本体４に傾斜状の切り込み１４を設け、この切り込み１４に補助ベルト１１の折り返した帯部分を挿通させて、ホルダー本体４に補助ベルト１１を取り付けている。
【００３２】
機器用のホルダー１は、図４に示すように、肩掛けベルトＢに装着して機器３のイヤホーンコード２ａを保持するコード用ホルダー１５を備えている。このコード用ホルダー１５には、肩掛けベルトＢを通すベルト挿通部１６と、イヤホーンコード２ａの保持部１７を設けている。
【００３３】
コード用ホルダー１５は、柔軟性を有する素材を用いて長方形状に形成されている。尚、コード用ホルダー１５の形状は、長方形状に限定されることはなく、どのような形状であっても良い。
【００３４】
コード用ホルダー１５のベルト挿通部１６は、図４に示すように、所定の間隔を開けて配置された上下一対の切り込み１６ａにより形成されている。この切り込み１６ａは、挿通している肩掛けベルトＢに対して、コード用ホルダー１５を任意の位置で固定できるように形成されている。
【００３５】
また、コード用ホルダー１５の端部に設けられているイヤホーンコード２ａの保持部１７は、切り込み部分１７ａと、切り込み部分１７ａに連設している挿通孔１７ｂにより形成されている。この挿通孔１７ｂは、イヤホーンコード２ａの直径と略同じ径を有するように形成されている。
【００３６】
次に、以上のように構成された本考案の最良の形態について、使用の一例について説明する。
【００３７】
先ず、図３に示すように、コード用ホルダー１５のベルト挿通部１６に肩掛けベルトＢを挿通させて、肩掛けベルトＢにコード用ホルダー１５を装着する。
【００３８】
次に、ホルダー本体４のベルト挿通部６に肩掛けベルトＢを挿通させて、肩掛けベルトＢにホルダー本体４を装着する。このとき、ホルダー本体４には、補助ベルト１１も取り付けておく。
【００３９】
そして、図３に示すように、コード用ホルダー１５は、ホルダー本体４の上側に位置するようする。
【００４０】
次に、図１・図２に示すように、肩掛けベルトＢのホック８を、ズボン等の衣服９に取り付ける。また、補助ベルト１１のホック１２も、衣服９に取り付ける。
【００４１】
そして、図１・図４に示すように、ホルダー本体４のポケット部５に、小型の機器３を収容する。また、小型の機器３に接続され、ホルダー本体４のポケット部５から引き出されているイヤホーンコード２ａを、図４に示すように、切り込み部分１７ａを介してコード用ホルダー１５の挿通孔１７ｂに保持させる。
【００４２】
このとき、コード用ホルダー１５は、図１に示すように、機器用のホルダー１を使用している者の肩の近辺に位置している。そして、イヤホーン２を耳に装着したとき、図２に示すように、一方のイヤホーンコード２ａは、首の後ろ側を通過するようにする。
【産業上の利用可能性】
【００４３】
本考案に係る機器用のホルダーは、音楽や音声を発する種々の小型の機器を安定した状態で肩掛けベルトに保持するためのホルダーとして、幅広く利用されるものである。
【図面の簡単な説明】
【００４４】
【図１】機器用のホルダーの使用状態を、使用者の前方側から見た斜視図である。
【図２】機器用のホルダーの使用状態を、使用者の後方側から見た斜視図である。
【図３】機器用のホルダーとコード用ホルダーを、肩掛けベルトに装着している状態を示す斜視図である。
【図４】機器用のホルダーとコード用ホルダーを、肩掛けベルトに装着している状態を示す拡大した斜視図である。
【符号の説明】
【００４５】
Ｂ…肩掛けベルト
１…機器用のホルダー
２…イヤホーン
２ａ…イヤホーンコード
３…小型の機器
４…ホルダー本体
５…ポケット部
６…ベルト挿通部
６ａ…切り込み
７…連結用バックル
８…ホック
９…衣服
１０…長さ調整用バックル
１１…補助ベルト
１２…ホック
１３…長さ調整用バックル
１４…切り込み
１５…コード用ホルダー
１６…ベルト挿通部
１６ａ…切り込み
１７…保持部
１７ａ…切り込み部分
１７ｂ…挿通孔
【図１】
0003145674.tif 000003
【図２】
0003145674.tif 000004
【図３】
0003145674.tif 000005
【図４】
0003145674.tif 000006